(57)【要約】【課題】テレビジョン受像機、及びテレビジョン放送受信装置において、ユーザが、視聴したくないテレビ番組を視聴してしまったり、予約録画してしまうことを防ぐ。【解決手段】テレビは、ユーザが視聴したくないテレビ番組に係わる人物名や時間帯等のキーワードを記憶するメモリを備え、ユーザがリモコンのボタンを操作して、ユーザが視聴したくないテレビ番組に係わる人物名や時間帯等のキーワードを入力すると、制御用マイコンは、入力されたキーワードをメモリに記憶する。テレビは、テレビ番組を再生するとき、メモリに記憶されているキーワードを読み込んだ後（Ｓ１１）、再生するテレビ番組に対応する番組情報を読み込み（Ｓ１２）、この番組情報の中にキーワードが含まれているか否かを判断し（Ｓ１３）、キーワードが含まれる場合（Ｓ１４でＹＥＳ）、上記Ｓ１２の処理で読み込んだ番組情報に対応したテレビ番組の再生を行わない。【選択図】図４
2007295340.tif 000002
【特許請求の範囲】
【請求項１】
テレビジョン放送の番組（以下、テレビ番組という）の放送信号を受信するチューナと、
前記テレビ番組に対応する番組情報を取得する番組情報取得手段と、
前記テレビ番組を再生する再生手段と、
前記再生手段により再生された前記テレビ番組、及び前記番組情報等を表示する表示手段と、
ユーザが装置各部の操作、及びデータの入力を行うためのボタン等を有する操作手段とを備えたテレビジョン受像機において、
前記操作手段を用いて入力された、ユーザが視聴したくないテレビ番組に係わる人物名や時間帯等のキーワードを記憶するメモリと、
前記番組情報の中に前記キーワードが含まれているか否かを判断するキーワード判断手段と、
前記再生手段を用いて前記テレビ番組を再生するとき、前記キーワード判断手段を用いて該テレビ番組に対応する前記番組情報の中に前記メモリに記憶された前記キーワードが含まれているか否かを判断し、この判断の結果、含まれている場合に、前記番組情報に対応した前記テレビ番組の再生を行わないように制御するテレビ番組非再生制御手段と、
前記表示手段を用いて前記番組情報を表示するとき、前記キーワード判断手段を用いて該番組情報の中に前記メモリに記憶された前記キーワードが含まれているか否かを判断し、この判断の結果、含まれている場合に、前記番組情報を前記表示手段に表示しないように制御する番組情報非表示制御手段とをさらに備えることを特徴とするテレビジョン受像機。
【請求項２】
テレビジョン放送の番組（以下、テレビ番組という）の放送信号を受信するチューナと、
前記テレビ番組に対応する番組情報を取得する番組情報取得手段と、
前記テレビ番組を再生する再生手段と、
ユーザが装置各部の操作、及びデータの入力を行うためのボタン等を有する操作手段とを備えたテレビジョン放送受信装置において、
前記操作手段を用いて入力された、ユーザが視聴したくないテレビ番組に係わるキーワードを記憶するキーワード記憶手段と、
前記番組情報の中に前記キーワードが含まれているか否かを判断するキーワード判断手段と、
前記再生手段を用いて前記テレビ番組を再生するとき、前記キーワード判断手段を用いて該テレビ番組に対応する前記番組情報の中に前記メモリに記憶された前記キーワードが含まれているか否かを判断し、この判断の結果、含まれている場合に、前記番組情報に対応した前記テレビ番組の再生を行わないように制御するテレビ番組非再生制御手段とをさらに備えることを特徴とするテレビジョン放送受信装置。
【請求項３】
前記再生手段により再生された前記テレビ番組、及び前記番組情報等を表示する表示手段と、
前記表示手段を用いて前記番組情報を表示するとき、前記キーワード判断手段を用いて該番組情報の中に前記キーワード記憶手段に記憶された前記キーワードが含まれているか否かを判断し、この判断の結果、含まれている場合に、前記番組情報を前記表示手段に表示しないように制御する番組情報非表示制御手段とをさらに備えることを特徴とする請求項２に記載のテレビジョン放送受信装置。
【発明の詳細な説明】
【技術分野】
【０００１】
本発明は、テレビジョン受像機、及びテレビジョン放送受信装置に関する。
【背景技術】
【０００２】
従来から、テレビジョン放送の番組（以下、テレビ番組という）と、このテレビ番組に対応したＥＰＧ等の番組情報とを受信するテレビジョン受像機が知られている。ユーザは番組情報を見ることにより、当日、又は一週間後等のテレビ番組に関する情報を知り、視聴したいテレビ番組を決めることがある。一方、ユーザは番組情報を見ることにより、視聴したくないテレビ番組を決めることもある。例えば、ＰＭ１０時以降のテレビ番組や、ある人物が出演しているテレビ番組などをユーザが視聴したくない場合がある。
【０００３】
しかし、従来のテレビジョン受像機では、ユーザが視聴したくないテレビ番組に係る人物名や時間帯等のキーワードを予め入力しておき、このキーワードがテレビ番組に対応する番組情報に含まれている場合、これらのテレビ番組の再生を行わないように制御する機能はない。従って、ユーザ自身がテレビ番組に対応する番組情報を見て、視聴したくないテレビ番組であるか否か（キーワードを含む番組情報であるか否か）を判断しなければならない。しかし、ユーザの不注意により、キーワードを含む番組情報に対応するテレビ番組の再生を行ってしまい、視聴してしまうことがある。
【０００４】
ところで、入力されたキーワードに関連するＴＶ番組の番組情報を取得する検索部と、取得された番組情報をリモコンのチャンネル選択ボタンと対応付けて記憶する番組情報記憶部と、装置を制御する制御部とを備え、ユーザがリモコンのチャンネル選択ボタンを選択すると、これらのボタンに対応付けられた番組情報からＴＶ番組のチャンネル番号を取得して、テレビジョン受像機に通知する受信制御装置が知られている（例えば、特許文献１参照）。しかし、この受信制御装置では、上記問題を解決できない。
【特許文献１】特開２００１−３４６１１７号公報
【発明の開示】
【発明が解決しようとする課題】
【０００５】
本発明は、上述した問題点を解決するためになされたものであり、ユーザが、視聴したくないテレビ番組を視聴してしまうことや、視聴したくないテレビ番組を予約録画してしまうことがないテレビジョン受像機、及びテレビジョン放送受信装置を提供することを目的とする。
【課題を解決するための手段】
【０００６】
上記目的を達成するために請求項１の発明は、テレビジョン放送の番組（以下、テレビ番組という）の放送信号を受信するチューナと、前記テレビ番組に対応する番組情報を取得する番組情報取得手段と、前記テレビ番組を再生する再生手段と、前記再生手段により再生された前記テレビ番組、及び前記番組情報等を表示する表示手段と、ユーザが装置各部の操作、及びデータの入力を行うためのボタン等を有する操作手段とを備えたテレビジョン受像機において、前記操作手段を用いて入力された、ユーザが視聴したくないテレビ番組に係わる人物名や時間帯等のキーワードを記憶するメモリと、前記番組情報の中に前記キーワードが含まれているか否かを判断するキーワード判断手段と、前記再生手段を用いて前記テレビ番組を再生するとき、前記キーワード判断手段を用いて該テレビ番組に対応する前記番組情報の中に前記メモリに記憶された前記キーワードが含まれているか否かを判断し、この判断の結果、含まれている場合に、前記番組情報に対応した前記テレビ番組の再生を行わないように制御するテレビ番組非再生制御手段と、前記表示手段を用いて前記番組情報を表示するとき、前記キーワード判断手段を用いて該番組情報の中に前記メモリに記憶された前記キーワードが含まれているか否かを判断し、この判断の結果、含まれている場合に、前記番組情報を前記表示手段に表示しないように制御する番組情報非表示制御手段とをさらに備えるものである。
【０００７】
請求項２に記載の発明は、テレビジョン放送の番組（以下、テレビ番組という）の放送信号を受信するチューナと、前記テレビ番組に対応する番組情報を取得する番組情報取得手段と、前記テレビ番組を再生する再生手段と、ユーザが装置各部の操作、及びデータの入力を行うためのボタン等を有する操作手段とを備えたテレビジョン放送受信装置において、前記操作手段を用いて入力された、ユーザが視聴したくないテレビ番組に係わるキーワードを記憶するキーワード記憶手段と、前記番組情報の中に前記キーワードが含まれているか否かを判断するキーワード判断手段と、前記再生手段を用いて前記テレビ番組を再生するとき、前記キーワード判断手段を用いて該テレビ番組に対応する前記番組情報の中に前記メモリに記憶された前記キーワードが含まれているか否かを判断し、この判断の結果、含まれている場合に、前記番組情報に対応した前記テレビ番組の再生を行わないように制御するテレビ番組非再生制御手段とをさらに備えるものである。
【０００８】
請求項３に記載の発明は、請求項２に記載のテレビジョン放送受信装置において、前記再生手段により再生された前記テレビ番組、及び前記番組情報等を表示する表示手段と、前記表示手段を用いて前記番組情報を表示するとき、前記キーワード判断手段を用いて該番組情報の中に前記キーワード記憶手段に記憶された前記キーワードが含まれているか否かを判断し、この判断の結果、含まれている場合に、前記番組情報を前記表示手段に表示しないように制御する番組情報非表示制御手段とをさらに備えるものである。
【発明の効果】
【０００９】
請求項１に記載の発明によれば、テレビジョン受像機はキーワードが含まれている番組情報に対応したテレビ番組の再生を行わない。そのため、ユーザは、視聴したくないテレビ番組を視聴してしまうことがない。
【００１０】
また、テレビジョン受像機はキーワードが含まれている番組情報を表示手段に表示しない。そのため、ユーザが視聴したくないテレビ番組に対して予約録画の処理を選択してしまうことがない。
【００１１】
請求項２に記載の発明によれば、テレビジョン放送受信装置はキーワードが含まれている番組情報に対応したテレビ番組の再生を行わない。そのため、ユーザは、視聴したくないテレビ番組を視聴してしまうことがない。
【００１２】
請求項３に記載の発明によれば、テレビジョン放送受信装置はキーワードが含まれている番組情報を表示手段に表示しない。そのため、ユーザが視聴したくないテレビ番組にして予約録画の処理を選択してしまうことがない。
【発明を実施するための最良の形態】
【００１３】
以下、本発明の一実施形態に係るテレビジョン受像機（以下、テレビという；請求項におけるテレビジョン受像機、及びテレビジョン放送受信装置）について、図１、及び図２を参照して説明する。図１は、リモコン２（操作手段）により操作されるテレビ１、及びリモコン２の外観を示し、図２は、テレビ１の内部構成を示す。テレビ１は、テレビ番組の映像をディスプレイ１１（表示手段）に表示し、テレビ番組の音声をスピーカ１２に出力する。リモコン２は、テレビ１の装置各部の操作、及びデータの入力を行うためのボタン２１などを有する。
【００１４】
テレビ１は、テレビ番組の放送信号を受信するチューナ１３と、映像信号に対して所定の処理を行う映像信号処理部１４と、映像等を表示するディスプレイ１１と、音声信号に対して所定の処理を行う音声信号処理部１５と、音声を出力するスピーカ１２と、装置各部を制御する制御用マイコン１８とを備える。映像信号処理部１４は、チューナ１３によって受信したテレビ番組の放送信号に含まれる映像信号に対して所定の処理を行う。ディスプレイ１１は、映像信号処理部１４から出力された映像信号に基いて映像、及び各種のメッセージ等を表示する。音声信号処理部１５は、チューナ１３によって受信したテレビ番組の放送信号に含まれる音声信号に対して所定の処理を行う。スピーカ１２は、音声信号処理部１５から出力された音声信号に基いて音声を出力する。
【００１５】
また、テレビ１は、リモコン２から送信された信号を受光し、制御用マイコン１８へ出力するリモコン信号受信部１７と、リモコン２を用いて入力された、ユーザが視聴したくないテレビ番組に係わる人物名や時間帯等のキーワード（以下、キーワードと略す）を記憶するメモリ１６（キーワード記憶手段）とをさらに備える。
【００１６】
制御用マイコン１８は、請求項における番組情報取得手段、再生手段、キーワード判断手段、テレビ番組非表示制御手段、及び番組情報非表示制御手段として機能する。
【００１７】
次に、ユーザがリモコン２を用いてキーワードを入力するときの処理について、図３を参照して説明する。ユーザがリモコン２のボタン２１を操作して、ユーザが視聴したくないテレビ番組に係わる人物名や時間帯等のキーワードを入力すると（Ｓ１）、制御用マイコン１８は、入力されたキーワードをメモリ１６に記憶し（Ｓ２）、処理を終了する。具体的には、ユーザが「午後１０時以降」のような時間帯や、「○×太郎」のような人物名をキーワードとして入力することができる。また、キーワードとして、時間帯、又は人物名である例を示したが、これに限られず、例えば、日付、曜日、ニュースやスポーツ等のジャンル、及び再放送番組であることなどをキーワードとして入力してもよい。
【００１８】
次に、テレビ番組を再生するときの処理について、図４を参照して説明する。まず、制御用マイコン１８は、メモリ１６に記憶されているキーワードを読み込んだ後（Ｓ１１）、再生するテレビ番組に対応する番組情報（例えば、ＥＰＧ内のデータの一部）を読み込み（Ｓ１２）、この番組情報の中にキーワードが含まれているか否かを判断する（Ｓ１３）。
【００１９】
上記Ｓ１３の判断の結果、キーワードが含まれている場合（Ｓ１４でＹＥＳ）、上記Ｓ１２の処理で読み込んだ番組情報に対応したテレビ番組の再生を行わないで処理を終了する。一方、上記Ｓ１３の判断の結果、キーワードが含まれない場合（Ｓ１４でＮＯ）、上記Ｓ１２の処理で読み込んだ番組情報に対応するテレビ番組の再生表示を行う（Ｓ１５）。
【００２０】
上記のように、制御用マイコン１８は、キーワードが含まれている番組情報に対応したテレビ番組の再生を行わない。そのため、ユーザは、視聴したくないテレビ番組を視聴してしまうことがない。
【００２１】
次に、番組情報をディスプレイ１１に表示するときの処理について、図５を参照して説明する。まず、制御用マイコン１８は、メモリ１６に記憶されているキーワードを読み込んだ後（Ｓ２１）、ディスプレイ１１に表示する番組情報を読み込み（Ｓ２２）、この番組情報の中にキーワードが含まれているか否かを判断する（Ｓ２３）。
【００２２】
上記Ｓ２３の判断の結果、キーワードが含まれている場合（Ｓ２４でＹＥＳ）、上記Ｓ２２の処理で読み込んだ番組情報をディスプレイ１１に表示しないで処理を終了する。一方、上記Ｓ２３の判断の結果、キーワードが含まれない場合（Ｓ２４でＮＯ）、上記Ｓ２２の処理で読み込んだ番組情報をディスプレイ１１に表示する（Ｓ２５）。
【００２３】
上記のように、制御用マイコン１８は、キーワードが含まれている番組情報をディスプレイ１１に表示しない。そのため、ユーザが視聴したくないテレビ番組に対して予約録画の処理を選択してしまうことがない。
【００２４】
次に、複数の番組情報から構成される番組情報テーブルについて、図６、及び図７を参照して説明する。テレビ１は、複数の番組情報を同時に取得し、取得した複数の番組情報を、番組情報テーブルとして記憶してもよい。図６は、番組情報テーブルの一例を示す。番組情報テーブル３は、時間帯毎における１チャンネル３１、２チャンネル３２、３チャンネル３３、及び４チャンネル３４のそれぞれにおいて放送されるテレビ番組に対する番組情報から構成されている。
【００２５】
テレビ１は、番組情報テーブル３のそれぞれの番組情報に対して、前述した図４、及び図５と同様の処理を行い、キーワードが含まれているか否かの判断を行う。例えば、ユーザがキーワードに「○×太郎」を入力した場合、制御用マイコン１８は、この人物名を含む番組情報に対応するテレビ番組の再生を行わず、また、この人物名を含む番組情報をディスプレイ１１に表示しない。図７は、番組情報テーブルの中にキーワードが含まれているか否かを判断する処理を行った後、ディスプレイ１１に表示した番組情報テーブルを示す。
【００２６】
図７に示すように、ディスプレイ１１上の番組情報テーブル４には、「○×太郎」の人物名を含んでいる番組情報４１、４２が表示されない。なお、前述した図４では、制御用マイコン１８がテレビ番組の再生を行う毎に、再生するテレビ番組に対応する番組情報を読み込み、この番組情報の中にキーワードが含まれているか否かを判断する処理を示したが、キーワードが含まれているか否かの判断を行った後の番組情報テーブルをメモリに記憶しておいて、テレビ番組を再生するときに、制御用マイコンがこの番組情報テーブルを参照することにより、テレビ番組の再生を行うか否かの判断を行うものであってもよい。また、番組情報をディスプレイに表示するか否かの判断を行うとき、制御用マイコンがメモリに記憶された番組情報テーブルを参照することにより、番組情報をディスプレイに表示するか否かの判断を行ってもよい。
【００２７】
また、例えば、１チャンネルから４チャンネルの中で、３チャンネルのテレビ番組に対応する番組情報にキーワードが含まれていた場合、ユーザがリモコン２を操作してチャンネル番号を１チャンネルから順に増加させていくときに、制御用マイコンが、番組情報テーブルを参照して、２チャンネルの次の３チャンネルをスキップして４チャンネルを再生するように制御してもよい。従って、ユーザは、視聴したくないテレビ番組を視聴することがない。
【００２８】
なお、本発明は、上記実施形態の構成に限られず、発明の趣旨を変更しない範囲で種々の変形が可能である。例えば、上記実施形態では、キーワードを含む番組情報に対応するテレビ番組を再生しない処理、及びキーワードを含む番組情報をディスプレイ１１に表示しない処理を行う例を示したが、これに限られず、キーワードを含む番組情報に対応するテレビ番組を録画対象から除外するなどの処理を行ってもよい。
【図面の簡単な説明】
【００２９】
【図１】本発明の一実施形態に係るテレビの外観を示す傾斜図。
【図２】上記テレビの内部構成を示すブロック図。
【図３】上記テレビにキーワードを入力するときの処理を示すフローチャート。
【図４】番組を再生するときのテレビの処理を示すフローチャート。
【図５】番組情報を表示するときのテレビの処理を示すフローチャート。
【図６】キーワードが含まれているか否かを判断する処理を行う前の番組情報テーブルの状態を示す説明図。
【図７】キーワードが含まれているか否かを判断する処理を行った後の番組情報テーブルの状態を示す説明図。
【符号の説明】
【００３０】
１  テレビ（テレビジョン受像機、テレビジョン放送受信装置）
２  リモコン（操作手段）
１１  ディスプレイ（表示手段）
１３  チューナ
１６  メモリ（キーワード記憶手段）
１８  制御用マイコン（再生手段、キーワード判断手段、テレビ番組非表示制御手段、番組情報非表示制御手段）
２１  入力ボタン
【図１】
2007295340.tif 000003
【図２】
2007295340.tif 000004
【図３】
2007295340.tif 000005
【図４】
2007295340.tif 000006
【図５】
2007295340.tif 000007
【図６】
2007295340.tif 000008
【図７】
2007295340.tif 000009